(57)【要約】【課題】  個人が利用機関から利用用紙を受け取る際に住所や氏名等の事前記載を必要とせず、本人専用カードの入力によって利用機関のサービスを受けることができ、高齢者や身障者等に対して極めて便利で役に立つ自動的個人情報読取・記入代行装置を提供する。【解決手段】  利用機関のサービスを受ける個人（本人）は予め利用機関から支給される本人専用カードにすべての個人情報が入力され、この本人専用カードを利用機関の専用機器に入力することにより、個人情報が伝達され、必要のサービスを受ける事が出来る。【選択図】図１
0003174424.tif 000002
【実用新案登録請求の範囲】
【請求項１】
個人情報を電磁的に収納し利用機関から発行されている本人専用カードの個人情報を入力及び読取りを行うと共に利用機関に設けられている利用用紙に必要な前記個人情報を本人に代わって自動的に記入及び押印するための個人情報読取り記入代行装置であって、該代行装置は、前記利用用紙を所定位置に保持する保持部と該保持部と対峙して配置される記入押印装置本体とからなり、該記入押印装置本体は、前記本人専用カードの挿入用の入力部と、前記本人専用カードの前記個人情報の読取部と、前記記入押印装置本体を前記利用用紙の記入及び押印位置に移動位置決めする移動機構部と、前記利用用紙に前記読取部内の読取り情報を記入及び押印するための記入押印部とから構成されることを特徴とする自動的個人情報読取・記入代行装置。
【請求項２】
前記個人情報が、個人の自筆の住所，自筆の氏名，電話番号，Ｅメール，自筆のサイン，指紋，筆跡，利用印の印影，整理マーク，写真であり、前記専用機器を備える利用機関が、預金，貯金，借入，手形，小切手等の取引を行う銀行及び郵便局や、配達付購入の取引を行うデパートやスーパー及びコンビニや、届出や申請及び申告等の手続を行う市町村役場や税務署や社会保険事務所や病院や診療所や行政書士や便利屋及び代行屋であることを特徴とする請求項１に記載の自動的個人情報読取・記入代行装置。
【考案の詳細な説明】
【技術分野】
【０００１】  本考案は、個人や法人等の本人が利用機関に対して煩雑な手続をすることなく、該利用機関に対しての手続に必要な書面（利用用紙）に個人情報を本人に代行して自動的記入等できる自動的個人情報読取・記入代行装置に関する。
【背景技術】
【０００２】  現在の様々な社会活動、ビジネス活動において、例えば、デパート，スーパー等の利用機関における配送付購入品の交付や銀行、郵便局等の利用機関における預金，貯金，借入，手形，小切手等の取引や市町村役場，税務署，社会保険事務所，病院，診療所等の利用機関における役務の提供等の手続において、その手続のつど利用者の「住所，氏名の記入」又は「住所，氏名，指紋，実印等の記入押印」という行為や処理を利用機関に保有してある利用用紙に記入押印することが不可欠とされている。
しかし、その文字量，筆記負担，処理回数等において、健常者ばかりか子女，高齢者，身障者，腱鞘炎患者等に対して、相当に煩雑な労力負担を強いている実情にあり、また、成年後見人の代書等による詐欺，横領，窃盗等の犯罪が発生している現状にあり、今や「住所，氏名の記入」又は「住所，氏名，指紋や実印等の記入押印」は、生活やビジネスにおいて必要悪の雑務になっており、大きな問題となっている。【０００３】  この問題の解決のために、例えば、「特許文献１」や「特許文献２」等が挙げられている。
【先行技術文献】
【特許文献】
【０００４】
【特許文献１】国際公開番号ＷＤ第２００３／０８３７３９号（図１）
【特許文献２】特開２０００−３４８２５８号（図１）
【考案の概要】
【考案が解決しようとする課題】
【０００５】  「特許文献１」の「国際公開番号ＷＤ第２００３／０８３７３９号」の「証明書交付のためのシステム、方法及びプログラム」は、その（図１），（図２），（図６），（図８）等に示すように、受付端末１０において、タッチパネルディスプレイ１１への入力或いはカードリード部１２に住民カードを挿入することにより、所望の自治体及び証明書交付申請に必要な定型の入力項目８０を入力し、入力された情報は運用端末１０から端末運用センタ４０に送信される。端末運用センタ４０の受付端末運用サーバ４１は、該入力された情報に基づき、上記入力された自治体で用いられる証明書交付のための申請書に関する書式情報を、フォーマット管理データベース４２から取得し、取得した書式情報に基づき、定型の入力項目８０を用いて、上記入力された自治体で用いられる証明書交付のための申請書を作成するものからなる。
以上のようにこの特許は住民カードの挿入によって自治体で用いられる証明書を交付するための申請書を作成するものであり、このシステム等はすべての自治体において共通的に使用可能のものである。よって、本願考案もシステム内容としてはこの特許に含まれるものであるが、この特許は管理データベース等を保有するコンピュータを用いる大規模のものであり、本願考案のように、利用機関に設けられている利用用紙に本人が記載する必要な事項を本入に代わって記入又は押印するものでなく、夫々の利用機関に省スペース的に設置されるコンパクトで簡便安価に形成されるものではなく目的や構成において大きく相違するものである。【０００６】  「特許文献２」の「特開２０００−３４８２５８号」の「本人識別機能を有する証明書発行機」は、その（図１）に表示されているように、ＩＣカードを用いた証明書発行機であって、ＩＣカードの記憶部の情報を読み取るＩＣカード読取部と、ＩＣカードの使用者本人の生体情報を読み取る生体情報読取部と、ＩＣカード読取部及び生体情報読取部から読み取られた生体情報を照合する生体情報照合部と、証明書に印字する印字部と、照合部の照合結果に基づいて生体情報が一致した場合に、ＩＣカード読取部によりＩＣカードの記憶部から読み取った情報に基づいて印字部により証明書発行に必要な印字を行うように各部を制御する制御部とを備えたものであり、証明書を発行する機械である。その特徴は使用者（利用者）本人を照合確認する機能に大きな特徴を有するものであり、また、証明書の発行機であって証明書を発行するための申請書を作成するものではない。また、その機械構造としてもコンピュータを用いる大規模のものからなっており、それは本願考案のように、利用機関に設けられている利用用紙に本人が記載する必要な事項を本人に代わって記入又は押印するものでなく、夫々の利用機関に省スペース的に設置されコンパクトで簡便安価に形成されるものではなく、目的や構成において大きく相違するものである。【０００７】  本願考案は、個人や法人等の本人が利用機関に準備されている利用用紙に本人が記載することが必要な個人情報を本人に代わって記入や押印する装置であり、構造が簡単でコンパクトにまとめられ安価に形成される自動的個人情報読取・記入代行装置を提供することを目的とする。
【課題を解決するための手段】
【０００８】  本考案は、以上の目的を達成するために請求項１の考案は、個人情報を電磁的に収納し利用機関から発行されている本人専用カードの個人情報を入力及び読取りを行うと共に利用機関に設けられている利用用紙に必要な前記個人情報を本人に代わって自動的に記入及び押印するための個人情報読取り記入代行装置であって、該代行装置は、前記利用用紙を所定位置に保持する保持部と該保持部と対峙して配置される記入押印装置本体とからなり、該記入押印装置本体は、前記本人専用カードの挿入用の入力部と、前記本人専用カードの前記個人情報の読取部と、前記記入押印装置本体を前記利用用紙の記入及び押印位置に移動位置決めする移動機構部と、前記利用用紙に前記読取部内の読取り情報を記入及び押印するための記入押印部とから構成されることを特徴とする。【０００９】  また、請求項２の考案は、前記個人情報が、個人の自筆の住所，自筆の氏名，電話番号，Ｅメール，自筆のサイン，指紋，筆跡，利用印の印影，整理マーク，写真であり、前記専用機器を備える利用機関が、預金，貯金，借入，手形，小切手等の取引を行う銀行及び郵便局や、配達付購入の取引を行うデパートやスーパー及びコンビニや、届出や申請及び申告等の手続を行う市町村役場や税務署や社会保険事務所や病院や診療所や行政書士や便利屋及び代行屋であることを特徴とする。
【考案の効果】
【００１０】  本考案の請求項１の自動的個人情報読取・記入代行装置によれば、利用機関に設置してある利用用紙に、本人専用カードを入力するだけで、その利用用紙の所定位置に本人の個人情報を入力、読取りして記入及び押印することが自動的に出来、利用用紙に本人がその都度自筆することなく、利用機関への手続きが可能になる効果を上げることができる。【００１１】  本考案の請求項２の自動的個人情報読取・記入代行装置によれば、個人情報の内容や利用機関が明示され、本人が本人と利用機関との関係や利用機関側から本人へ要求される各種の情報が明確に把握される。
【図面の簡単な説明】
【００１２】
【図１】本考案の自動的個人情報読取・記入代行装置の概要構成を示す模式図。
【図２】本人が利用機関の利用用紙に記入及び押印するまでの流れを示すフローチャート。
【考案を実施するための形態】
【００１３】  以下、本考案の自動的個人情報読取・記入代行装置の実施の形態を図面を参照して詳述する。
【実施例１】
【００１４】  図１に示すように、自動的個人情報読取・記入代行装置１００は保持部１と記入押印装置本体２とから構成される。【００１５】  保持部１は例えば、図１に示すようにベース台９上に載置されている皿状の保持部本体１ａからなり、利用機関に準備してある利用用紙８を表面上の所定位置に搭載保持する形状のものからなるが、勿論この形態に特定するものではない。【００１６】  一方、記入押印装置本体２は箱体２ａからなり、その内部構成としては入口部３と、記入部４と、移動機構部５と、記入押印部６等とからなる。なお、入口部３や読取部４や記入押印部６等は既存の技術が適用されるものであり、その構造についての説明は省略するがなるべく簡便構造のものが望ましい。【００１７】  移動機構部５は手動式や自動式のものが挙げられるが、本考案の場合は一例として手動式のものを採用しているが勿論これに限定するものではない。即ち、移動機構部５としては箱体２ａを利用用紙８の記入又は押圧する位置に移動させる機能を有するものであればよく、例えば、ベース台９上に載置される一対の支持体５ａ，５ａとこの一対の支持体５ａ，５ａ間に架設される平板５ｂの如きものからなり、箱体２ａは平板５ｂに沿って所定位置に手動で移動可能に形成される。勿論、平板５ｂには利用用紙８の位置を確認できて記入又は押圧が可能な開口部５ｃが形成され、その位置確認は箱体２ａの上面に形成される透明窓１０により視知することができる。また、記入押印部６は開口部５ｃと対峙する位置に配置されていることは勿論である。【００１８】  入口部２に挿入される本人専用カードであるＩＣカード７は本人を特定できる必要事項、例えば、個人の自筆の住所，自筆の氏名，電話番号，Ｅメール，自筆のサイン，指紋，筆跡，利用印の印影，整理マーク，写真等であり、通常の技術で作成可能のカードからなる。
このＩＣカード７は予め利用機関が本人に送る。【００１９】  次に、本考案の自動的個人情報読取・記入代行装置１００による利用用紙８への記入又は押印方法について図２のフローチャートにより説明する。【００２０】  まず、利用機関が保有している利用用紙８を保持部にセットする。これは本人が行う（ステップ１０１）。次に、本人所有しているＩＣカード７を記入押印装置本体２の入口部３に挿入する（ステップ１０２）。入口部３はＩＣカード７の内容を出力し読取部４に送る（ステップ１０３）。次に、読取部４の読取情報に基づき移動機構部５を動作し記入押印装置本体２を記入又は押印する位置に移動させる（ステップ１０４）。
読取部４で読み取った情報は記入押印部６に送られ（ステップ１０５）、記入押印部６は利用用紙８の所定位置に必要事項を記入又は押印する（ステップ１０６）。この利用用紙８を基にして本人は利用機関から必要の商品を受け取る（ステップ１０７）。【００２１】  以上のように、本人はＩＣカード７を記入押印装置本体２に入力すればよく、子女，高齢者，身障者等であっても容易に必要な商品を利用機関から受けることができる。【００２２】  また、この自動的個人情報読取・記入代行装置１００は以上の説明のようにコンパクトの簡便構造のものからなり、利用機関に設置することは容易に、かつ安価に実施することができる。【００２３】  本考案の内容は以上の説明のものであるが、その内容は前記のものに限定するものではなく、同一技術的範疇のものが適用されることは勿論である。
【産業上の利用可能性】
【００２４】  本考案の自動的個人情報読取・記入代行装置１００は各種の利用機関に設置可能のものであり、その利用範囲は極めて広い。
【符号の説明】
【００２５】  １      保持部
１ａ    保持部本体
２      記入押印装置本体
２ａ    箱体
３      入口部
４      読取部
５      移動機構部
５ａ    支持体
５ｂ    平板
５ｃ    開口部
６      記入押印部
７      ＩＣカード（本人専用カード）
８      利用用紙
９      ベース台
１０    透明窓
１００  自動的個人情報読取・記入代行装置
【図１】
0003174424.tif 000003
【図２】
0003174424.tif 000004